(57)【特許請求の範囲】
【請求項１】
電動パチンコ機の表側にて回転可能に支持されたハンドルと、同ハンドルを所定方向に向けて回転するように付勢するスプリング機構とを備えて上記ハンドルの回転角度に応じて打球強度を調整せしめる電動パチンコ機の発射ハンドルにおいて、
上記ハンドルに遊技者が触れているか否かを検出する検出手段と、
パルス状電力の供給時において上記ハンドルの回転軸もしくはプーリに対して摺動材を当接／離脱させることにより同ハンドルの制動力を調整する電磁ソレノイドと、
上記電磁ソレノイドに接続され、上記検出手段による検出結果に基づいて同電磁ソレノイドに上記パルス状電力を供給するパルス電力出力回路と、
上記パルス電力出力回路に接続され、上記パルス状電力の出力間隔を調整可能な可変抵抗器とを具備することを特徴とする電動パチンコ機の発射ハンドル。
【発明の詳細な説明】
【０００１】
【産業上の利用分野】
本発明は、電動パチンコ機の発射ハンドルに関し、特に、一方向に付勢された回転ハンドルの回転角度に応じて打球強度を調整せしめる電動パチンコ機の発射ハンドルに関する。
【０００２】
【従来の技術】
従来、この種の発射ハンドルは電動パチンコ機の右下隅近辺に固定され、当該電動パチンコ機を表裏方向に貫通して回転可能に支持された回転軸と、同電動パチンコ機の表側にて上記回転軸に固定されたハンドルと、当該電動パチンコ機の裏側にて上記回転軸に固定されて当該回転軸を初期位置に向けて回転するように付勢するスプリング機構とを備えたものが知られている。
【０００３】
一般に、電動パチンコ機は打槌を遊技球に向けて引き戻す力を与える打球強度調整スプリングを備えており、同打球強度調整スプリングの一端を上記打槌に係合固定せしめるとともにワイアを介して他端を上記回転軸の端部に設けたプーリに接続せしめて上記スプリング機構を構成している。
【０００４】
かかる構成において、当初、ハンドルは初期位置にあり、遊技者がハンドルを所定方向に回転せしめると、ワイアを介して打球強度調整スプリングを引き延ばすため、打槌を遊技球に引き戻す力が強くなって打球の強度を増大せしめる。また、これと同時に当該ハンドル自身も同打球強度調整スプリングが縮もうとする力により引き戻され、初期位置に向けて付勢される。
【０００５】
【発明が解決しようとする課題】
上述した従来の電動パチンコ機の発射ハンドルにおいては、遊技者が所望の打槌強度で遊技を続けようとするためには打球強度調整スプリングが縮もうとする力に反してハンドルを所定の回転角度に保持しなければならず、手が疲れるとともに煩わしいという課題があった。
【０００６】
また、遊技者は硬貨などをハンドル付近の隙間に挟み込み、同ハンドルを固定せしめて遊技を継続しようとする場合があり、器具が早期に痛んでしまうことがあるという課題もあった。
【０００７】
本発明は、上記課題にかんがみてなされたもので、遊技中にハンドルを所望の角度に固定せしめて手の疲れを防止し、またこれにより遊技者が無理にハンドルを固定せしめて器具を痛めることをも防止することが可能な電動パチンコ機の発射ハンドルの提供を目的とする。
【０００８】
【課題を解決するための手段】
上記目的を達成するため、請求項１にかかる発明は、電動パチンコ機の表側にて回転可能に支持されたハンドルと、同ハンドルを所定方向に向けて回転するように付勢するスプリング機構とを備えて上記ハンドルの回転角度に応じて打球強度を調整せしめる電動パチンコ機の発射ハンドルにおいて、
上記ハンドルに遊技者が触れているか否かを検出する検出手段と、パルス状電力の供給時において上記ハンドルの回転軸もしくはプーリに対して摺動材を当接／離脱させることにより同ハンドルの制動力を調整する電磁ソレノイドと、上記電磁ソレノイドに接続され、上記検出手段による検出結果に基づいて同電磁ソレノイドに上記パルス状電力を供給するパルス電力出力回路と、上記パルス電力出力回路に接続され、上記パルス状電力の出力間隔を調整可能な可変抵抗器とを具備する構成としてある。
【０００９】
【作用】
上記のように構成した請求項１にかかる発明においては、電磁ソレノイドに接続されたパルス電力出力回路は、上記検出手段による検出結果に基づいて同電磁ソレノイドにパルス状電力を供給する。すると、同電磁ソレノイドは、通電時にて、ハンドルの回転軸もしくは同回転軸に固定されたプーリに対して摺動材を当接または離脱させる。このため、同摺動材が当接されている間は上記スプリング機構の回転力に抗する上記ハンドルの制動力が強くなり、同摺動材が離脱する間は上記ハンドルの制動力が弱くなる。
従って、通電時に上記摺動材を当接させる場合、上記パルス状電力の出力間隔が比較的小さいと上記ハンドルの制動力は大きく、同パルス状電力の出力間隔が比較的大きくなると上記ハンドルの制動力は小さくなる。このため、上記パルス電力出力回路に接続された可変抵抗器により、上記パルス状電力の出力間隔を調整すると、上記制動力が適切な値となる。
【００１０】
【発明の効果】
以上説明したように本発明は、遊技中であればハンドルが所望の角度にて、上記スプリング機構による回転力に抗して付与される調整可能な制動力によって固定され、遊技者が同ハンドルから手を離せば自動的に初期位置に戻るようにしたため、遊技者における手の疲れを防止して快適に遊技を行わしめることが可能な電動パチンコ機の発射ハンドルを提供することができる。
【００１１】
また、硬貨などを挟み込んで無理にハンドルを固定する必要もないため、遊技者によるかかる不正を防止して器具が痛まないようにする効果もある。
【００１２】
【実施例】
以下、図面にもとづいて本発明の実施例を説明する。
図１は本発明の一実施例にかかる電動パチンコ機を正面図により示しており、図２は遊技球の発射機構を概略的に示している。
【００１３】
図において、電動パチンコ機１０は弓状の打槌１１を備えており、同打槌１１は一端に打球部１１ａを有するとともに他端に近い部位に軸支点１１ｂを有しており、同軸支点１１ｂにて電動パチンコ機１０に支持されて所定の角度の範囲内で回転可能となっている。また、同打槌１１における上記打球部１１ａと軸支点１１ｂとの間には弓状の凸面方向に突出する凸部１１ｃが備えられているとともに同凸部１１ｃには当該打槌１１の回転面に対して垂直な方向に突出するピン１１ｄが固定されている。ここで、上記打槌１１の回転面と平行な面内にはモータ１２により回転されて一回転ごとに同ピン１１ｄを上記凸面方向に所定距離だけ移動せしめるカム１２ａが配設されており、同モータ１２は誘導モータにより構成されて交流電流を供給されたときに周波数に対応した所定の回転速度で回転する。
【００１４】
打槌１１における上記凸部１１ｃと上記軸支点１１ｂとの間には上記凸面方向と反対の方向に支持される打球調整スプリング１３の一端が係合されており、同打球調整スプリング１３の他端は回転自在なプーリ１４ａ，１４ｂに張架されたワイア１５を介して発射ハンドル２０の回転軸２１に固定されたプーリ２２に接続されている。
【００１５】
電動パチンコ機１０の右下隅には孔１０ａが形成されており、発射ハンドル２０のホルダ２３は同軸状の内筒２３ａと外筒２３ｂとをそれぞれ電動パチンコ機１０の裏面と表面より挿入して一体化せしめた円筒体に形成され、その内部にて上記回転軸２１を保持している。
【００１６】
回転軸２１は当該ホルダ２３を貫通してその端部にて略円柱状のハンドル２４の軸心に対して回転不能に固定され、同ハンドル２４は上記軸心を中心点として円弧状のスリット２４ａ〜２４ｃが形成されて同スリット２４ａ〜２４ｃにて上記ホルダ２３から突出するボス２３ｃ１〜２３ｃ３により貫通され、当該ボス２３ｃ１〜２３ｃ３にて約１８０度回転可能に保持されている。なお、ホルダ２３の内部には上記モータ１２の給電路に対して直列に介装された開閉路２３ｄ１を有するマイクロスイッチ２３ｄが固定されるとともにハンドル２４における上記ホルダ２３に面する側の内部には同マイクロスイッチ２３ｄをオン・オフせしめる段部が形成されており、当該マイクロスイッチ２３ｄはハンドル２４が反時計回りの方向に回転可能な限度まで回転されているときにオフとなり、それ以外の位置にあるときにはオンとなる。
【００１７】
上記ハンドル２４のスリット２４ａ〜２４ｃを貫通したボス２３ｃ１〜２３ｃ３の先端は円弧面に形成されたキャップ２５の裏面に当接し、同ボス２３ｃ１〜２３ｃ３の内部よりネジ２６ａ〜２６ｃが挿入されて上記キャップ２５の裏面に螺合固定されている。また、当該キャップ２５の表面には金属性のリング２５ａが固着されており、同リング２５ａは電動パチンコ機１０の裏側に配設されたリード線２５ａ１に接続されている。
【００１８】
同リード線２５ａ１は図４に示すようにタッチセンサ回路２７に接続されており、同タッチセンサ回路２７は同リード線２５ａ１に接続された上記リング２５ａ（タッチプレート）における対地間の静電容量に基づいて遊技者が同リング２５ａに触れているか否かを判断し、触れている場合にリレーのＢ接点２７ａを開くとともにＡ接点２７ｂ，２７ｃを閉じ、触れていない場合に同Ｂ接点２７ａを閉じるとともに同Ａ接点２７ｂ，２７ｃを開いた状態とする。
【００１９】
ここで、同Ｂ接点２７ａは電動パチンコ機１０の裏面にて内筒２３ａのフランジ部２３ａ１に固定された制動機２８をオン・オフせしめるものであり、当該制動機２８における電磁コイル２８ａの給電路に直列に介装されている。また、当該Ｂ接点２７ａとともに電磁コイル２８ａの給電路にはマイクロスイッチ２３ｄの他の開閉路２３ｄ２が介装されており、同開閉路２３ｄ２はハンドル２４が反時計回りの方向に回転可能な限度まで回転されたときにオフとなり、それ以外のときにオンとなる。
【００２０】
制動機２８は上記電磁コイル２８ａとプランジャ２８ｂとからなる電磁ソレノイドを備えて構成され、図５に示すように本体２８ｃ内に同電磁コイル２８ａとプランジャ２８ｂとを収容し、電磁コイル２８ａへの通電に応じてプランジャ２８ｂをその軸心方向に所定距離だけ往復動せしめる。また、本体２８ｃは内筒２３ａのフランジ部２３ａ１に対して上記プランジャ２８ｂを上記プーリ２２に向けた状態で固定されており、同プランジャ２８ｂの先端には摺動材２８ｂ１が接着されている。なお、上記電磁コイル２８ａが通電されている場合は図３に示すようにプランジャ２８ｂは本体２８ｃ側へ引き寄せられて同プランジャ２８ｂの先端の摺動材２８ｂ１は上記プーリ２２と離れているが、同電磁コイル２８ａが通電されていない場合は図６に示すようにプランジャ２８ｂの先端の摺動材２８ｂ１が所定の押圧力にて上記プーリ２２に当接する程度まで同プランジャ２８ｂが突出する。
【００２１】
一方、Ａ接点２７ｃは上記電磁コイル２８ａにパルス状電力を供給せしめるパルス電力出力回路２９の電源スイッチとして使用され、遊技者がハンドル２４に触れているときに同パルス電力出力回路２９をオンとし、触れていないときにオフとする。なお、同パルス電力出力回路２９は図７に示すように可変抵抗器２９ａの抵抗値に応じて出力するパルス間隔が変更可能となっている。なお、他のＡ接点２７ｂは上記モータ１２の給電路に介装され、遊技者がリング２５ａに触れているときにオンとなり、触れていないとオフとなる。
【００２２】
次に、上記構成からなる本実施例の動作を説明する。
当初、電動パチンコ機１０への給電を開始したときは、ハンドル２４が反時計回り方向に回転可能な限度まで回転されており、マイクロスイッチ２３ｄの両開閉路２３ｄ１，２３ｄ２はオフとなっており、電磁コイル２８ａとモータ１２への給電路はともに開いている。
【００２３】
しかし、遊技者が発射ハンドル２０に手を掛けてハンドル２４を時計回り方向に回転せしめると、ホルダ２３内のマイクロスイッチ２３ｄがハンドル２４内面の段部より離れて当該マイクロスイッチ２３ｄにおける開閉路２３ｄ１，２３ｄ２が閉じる。また、これとともに手の一部がキャップ２５に固着されたリング２５ａに接触するため同リング２５ａにおける対地間の静電容量が変化し、同リング２５ａに対してリード線２５ａ１を介して接続されたタッチセンサ回路２７は同静電容量の変化に基づいてリレーのＢ接点２７ａを開くとともにＡ接点２７ｂ，２７ｃを閉じる。
【００２４】
開閉路２３ｄ１が閉じるとともにＡ接点２７ｂが閉じると、モータ１２に対する給電路が導通し、同モータ１２に交流電流が流れて回転を開始する。モータ１２はカム１２ａを回転せしめ、同カム１２ａは所定の回転速度で回転するときにその周面にて打槌１１のピン１１ｄに摺接し、弓状の打槌１１をその凸面方向に所定角度だけ回転せしめる。しかし、打球調整スプリング１３が同打槌１１をその凸面方向と反対の方向に向けて引き戻そうとする力を与えているため、同カム１２ａが所定角度だけ回転して当該カム１２ａとピン１１ｄとが離れると打槌１１は同打球調整スプリング１３にて引き戻され、打球部１１ａにて同打球調整スプリング１３の引き戻し強度に応じた所定の強度で遊技球を打ち出す。
【００２５】
また、ハンドル２４を時計回り方向に徐々に回転させていくと、回転軸２１も同様に回転し、その先端に固定されたプーリ２２がワイア１５を巻き取る。ワイア１５が巻き取られた分だけ打球調整スプリング１３は引き延ばされるため、打槌１１を引き戻す力は大きくなって打球の強度が強くなる。従って、遊技者はハンドル２４を回転せしめて打球の強度を調整し、所望の強度として遊技を行えばよい。
【００２６】
遊技者がハンドル２４を回転せしめたときにタッチセンサ回路２７はリング２５ａにおける対地間の静電容量の変化に基づいてリレーのＢ接点２７ａを開くため、電磁コイル２８ａには電力が供給されず、プランジャ２８ｂは突出したままとなっている。プランジャ２８ｂは、突出時にその先端に接着された摺動材２８ｂ１をプーリ２２の側面に対して所定の押圧力で当接せしめるため、プーリ２２は当該制動機２８により制動力を受けることになり、遊技者は当該制動機２８が発生する制動力に打ち勝って上記ハンドル２４を回転させなければならない。
一方、ハンドル２４は回転軸２１を介してプーリ２２と固定され、同プーリ２２は打球調整スプリング１３に接続されたワイア１５を巻き取っているので、ハンドル２４は同打球調整スプリング１３が縮もうとする力によって初期位置まで回転させようとする力を受けている。従って、制動力が小さいとハンドル２４を回転させやすくなるものの、打球調整スプリング１３が縮もうとする力によってハンドル２４の回転角度が変化してしまい、逆に制動力が大きいとハンドル２４を回転させるのに大きな力が必要となってしまう。
【００２７】
ところで、遊技中はパルス電力出力回路２９がオンとなっており、電磁コイル２８ａにパルス状の電力を供給している。電磁コイル２８ａはパルス状の電力が供給されるごとにプランジャ２８ｂを引き戻そうとするため、上記制動力はその間だけ弱くなる。従って、図７のＩに示す区間のように出力間隔が比較的大きいと制動力は大きく、同図のＩＩに示す区間のように出力間隔が比較的小さくなると制動力は小さくなるので、上記制動力が適切な値となるように、予め、このパルス状電力の出力間隔を可変抵抗器２９ａで調整しておく。
【００２８】
このようにして、遊技者がリング２５ａに触れていると上記制動機２８がプーリ２２に制動力を付与しているため、ハンドル２４は同位置に保持されている。従って、遊技者は打球調整スプリング１３が縮もうとする力に抗してハンドル２４を保持する必要はなく、ハンドル２４を所望の位置まで回転させた後はリング２５ａに触れているだけで同ハンドル２４を同位置にて保持せしめることができる。
【００２９】
ただし、遊技者が発射ハンドル２０から手を離すとリング２５ａと触れなくなるため、同リング２５ａにおける対地間の静電容量が変化する。すると、タッチセンサ回路２７におけるリレーのＢ接点２７ａが閉じ、電磁コイル２８ａへの給電が開始されて制動機２８におけるプランジャ２８ｂは本体２８ｃの側に引き寄せられ、摺動材２８ｂ１もプーリ２２から離脱する。
【００３０】
摺動材２８ｂ１が離脱するとプーリ２２は回転自在となるため、打球調整スプリング１３が縮もうとする力によってワイア１５が引き戻され、当該プーリ２２とともに回転軸２１とハンドル２４は反時計回り方向に初期状態まで回転する。
【００３１】
ハンドル２４が初期状態まで戻るとマイクロスイッチ２３ｄの開閉路２３ｄ１はオフとなり、モータ１２に対する給電路が開かれて同モータ１２も停止する。また、開閉路２３ｄ２もオフとなるので、電磁コイル２８ａに対する給電路が開かれてプランジャ２８ｂは再度プーリ２２の側に押し戻されて摺動材２８ｂ１はプーリ２２に当接する。さらに、Ａ接点２７ｃが開くのでパルス電力出力回路２９はオフとなってパルス状電力の出力を停止する。すなわち、電動パチンコ機１０の電源を投入した時点の状態まで復帰する。
【００３２】
なお、上記実施例においては、ハンドルを所定の位置に保持するためにプーリに対して摺動材を当接して制動力を付与しているが、制動力を付与するための構成は他の機構、例えば、摺動材を介してプーリを挟み込んで制動力を付与したり、回転軸を摺動材により直接挟み込んで制動力を付与したり、プーリを磁性体により構成するとともに摺動板を電動パチンコ機に対して回転不能に支持せしめ、磁力によって同摺動板を上記プーリに吸引せしめて制動力を付与するようにしてもよい。
【００３３】
また、上記実施例においては、キャップに固着された金属プレートの静電容量を検出して遊技中であるか否かを判断する構成としているが、手の触れる位置に二枚の電極を設けて両電極間の抵抗変化を検出する構成としたり、キャップに押圧センサを備えて当該キャップが受ける押圧力に基づいて遊技者が触れているか否かを判断するなど、他の構成としてもよい。
【００３４】
さらに、上記実施例においては、制動機２８の電磁コイル２８ａに電流を通電したときに摺動材２８ｂ１がプーリ２２から離脱するように構成しているが、逆に電磁コイル２８ａに対しても電流を通電したときに摺動材２８ｂ１がプーリ２２に当接するように構成してもよい。
【００３５】
また、上記実施例においては、パルス電力出力回路２９はパルス状電力の出力タイミングによって制動力を調整しているが、タッチセンサ回路２７の検出結果に応じてパルス電力出力回路２９からは極めて短い出力タイミングのパルス状電力と制動力に応じた出力タイミングのパルス状電力を出力するように構成し、電磁コイル２８ａを当該パルス電力出力回路２９にのみ接続するように構成してもよい。
【００３６】
かかる構成とした場合、タッチセンサ回路２７の検出結果に基づいて遊技中であるときには上記パルス電力出力回路２９は制動力に応じた出力タイミングとし、遊技中でないときには上記パルス電力出力回路２９は短い出力タイミングのパルス状電力を出力して電磁コイル２８ａに通電したのと同様の状態とする。
【００３７】
その他、上記実施例においては、発射ハンドル２０の回転軸２１が電動パチンコ機１０を貫通し、同回転軸２１の端部に固定したプーリ２２でワイア１５を引き延ばすように構成しているが、電動パチンコ機１０の表側にてハンドル２４を可変抵抗器の回転軸に固定するとともに、電動パチンコ機１０の裏側にてリード線を介して同可変抵抗器の抵抗値を検出し、同抵抗値に応じてハンドル２４の回転角度に対応した打球強度とするようにしてもよい。また、打球調整スプリング１３をコイルスプリングにて構成してその引き延ばし長さに応じた反力で打槌１１を駆動しているが、コイルスプリングの捻り反力などによって同打槌を駆動するなどの他の構成とすることも可能である。
【図面の簡単な説明】
【図１】本発明の一実施例にかかる発射ハンドルが適用された電動パチンコ機の正面図である。
【図２】電動パチンコ機の打球機構を概略的に示す図である。
【図３】本発明の一実施例にかかる発射ハンドルの側面図である。
【図４】タッチセンサと制動機構の回路図である。
【図５】制動機の外観を示す斜視図である。
【図６】制動機の作動状態を示す側面図である。
【図７】パルス状電力の出力状態を示すタイミングチャートである。
【符号の説明】
１０…電動パチンコ機
１３…打球調整スプリング
１５…ワイア
２０…発射ハンドル
２１…回転軸
２２…プーリ
２３…ホルダ
２４…ハンドル
２５…キャップ
２５ａ…リング
２７…タッチセンサ回路
２８…制動機
２８ａ…電磁コイル
２８ｂ…プランジャ
２８ｂ１…摺動材
２８ｃ…本体
【図１】
0003656722.tif 000002
【図２】
0003656722.tif 000003
【図３】
0003656722.tif 000004
【図４】
0003656722.tif 000005
【図５】
0003656722.tif 000006
【図６】
0003656722.tif 000007
【図７】
0003656722.tif 000008